(57)【要約】  【課題】      多少のアンジュレーションが存在する場所であっても自立させることが可能なパターを提供する。  【解決手段】  パターヘッド14は、その前面に打球面22が形成されている前側ヘッド部18と、前側ヘッド部18の背面側に設けられている後側ヘッド部20とを有し、前側ヘッド部18の底面には、グリーンの芝面に当接する第１の当接部Aおよび第２の当接部Bがそれぞれ突出して形成されており、後側ヘッド部20の底面には、グリーンの芝面に当接する第３の当接部Cが突出して形成されている。  この発明では、アンジュレーションが存在するグリーン上にパター10を自立させた場合であっても、パターヘッド14がグリーンの芝面と第１の当接部A、第２の当接部Bおよび第３の当接部Cの３点にて常に当接することとなり、上記３つの当接部A,BおよびCを結んで形成される当接エリアXの面積が一定となるので、傾斜によるパター10の重心位置の変化があったとしても転倒が生じ難い。【選択図】      図１
2007029648.tif 000002
【特許請求の範囲】
【請求項１】
シャフトと、前記シャフトの先端に取着されるパターヘッドとからなるパターにおいて、
前記パターヘッドは、その前面に打球面が形成されている前側ヘッド部と、前記前側ヘッド部の背面側に設けられている後側ヘッド部とを有し、
前記前側ヘッド部の底面には、グリーンの芝面に当接する第１の当接部および第２の当接部がそれぞれ離間した状態で突出して形成されており、
前記後側ヘッド部の底面には、グリーンの芝面に当接する第３の当接部が突出して形成されていることを特徴とするパター。
【請求項２】
シャフトと、前記シャフトの先端に取着されるパターヘッドとからなるパターにおいて、
前記パターヘッドは、その前面に打球面が形成されている前側ヘッド部と、前記前側ヘッド部の背面側にてその底面が前記前側ヘッド部の底面よりも上方に位置するように形成されている後側ヘッド部とを有し、
前記前側ヘッド部の底面には、ヒール側を凹湾曲させることによりヒール側端部に第１の当接部が突出して形成されており、トウ側を凸湾曲させることによりその膨出部分に第２の当接部が形成されており、
前記後側ヘッド部の底面には、第３の当接部が突出して形成されていることを特徴とするパター。
【請求項３】
前記パターヘッドには、パッティングの方向を定めるための照準手段が設けられていることを特徴とする請求項１または２のいずれかに記載のパター。
【発明の詳細な説明】
【技術分野】
【０００１】
本願発明は、グリーンの芝面上に自立させることが可能なパターに関するものである。
【背景技術】
【０００２】
ゴルフ競技において、パッティングの基本はボールをまっすぐに打つことであるが、この技術は、初心者は勿論、中・上級者にとっても非常に難しい技術である。
【０００３】
というのも、「ボールをまっすぐに打つ」ためには、カップまたはターゲットスポット（芝目、傾斜、カップまでの距離などを考えて設定した目標点をいう）とボールとパターのスイートスポットとを同一直線上に配置するとともに、前記３点を結んだ仮想直線とパターヘッドの打球面とが略直交するように角度を調整する必要があるが、実際のパッティングでは、パターを構えた状態にてパターの位置や角度の調整等を行う必要があり、これを狙い通りに行うことが困難だからである。
【０００４】
かかる問題は、予めパターの位置や角度調整をしておき、然る後、パターを構えるようにすることで解消でき、そのための技術として、グリーンの芝面上に自立させることができるパターが提案されている（例えば、特許文献１参照）。
【０００５】
この従来のパターでは、パターヘッドの底面が平坦に形成されているので、比較的平坦で傾いていないグリーン上であればパターを自立させることができる。したがって、パターの位置や角度を調整した後でパターを構えることができ、より正確で確実なパッティングを行うことができる。
【特許文献１】特開平９−１１６６１１号公報
【発明の開示】
【発明が解決しようとする課題】
【０００６】
ところが、実際のグリーンは平坦な場所ばかりではなく、通常、アンジュレーション（起伏）が存在する。そして、このようなアンジュレーションが存在する芝面上に従来のパターを自立させると、パターヘッドの底面が平坦に形成されているためにパターヘッドの底面における芝面との当接位置が場所によって変化してしまい、場合によっては当接位置同士を結んだエリア（以下、当接エリアという）の面積が極端に狭くなってしまうことがある（例えば、グリーンの頂上部にパターを自立させるような場合）。パターを自立させるためには、パターの重心位置が当接エリア内に位置している必要があるが、上述したように、当接エリアが極端に狭くなってしまうと、パターの重心位置は当接エリアの外側にすぐに出てしまい、パターは倒れてしまう。
【０００７】
それゆえに、本願発明の目的は、多少のアンジュレーションが存在する場所に自立させた場合であっても倒れ難いパターを提供することにある。
【課題を解決するための手段】
【０００８】
請求項１に記載の発明は、「シャフト(12)と、シャフト(12)の先端に取着されるパターヘッド(14)とからなるパター(10)において、パターヘッド(14)は、その前面に打球面(22)が形成されている前側ヘッド部(18)と、前側ヘッド部(18)の背面側に設けられている後側ヘッド部(20)とを有し、前側ヘッド部(18)の底面には、グリーンの芝面に当接する第１の当接部(A)および第２の当接部(B)がそれぞれ離間した状態で突出して形成されており、後側ヘッド部(20)の底面には、グリーンの芝面に当接する第３の当接部(C)が突出して形成されている」ことを特徴とするパター(10)である。
【０００９】
また、請求項２に記載の発明は、「シャフト(12)と、シャフト(12)の先端に取着されるパターヘッド(14)とからなるパター(10)において、パターヘッド(14)は、その前面に打球面(22)が形成されている前側ヘッド部(18)と、前側ヘッド部(18)の背面側にてその底面が前側ヘッド部(18)の底面よりも上方に位置するように形成されている後側ヘッド部(20)とを有し、前側ヘッド部(18)の底面には、ヒール側を凹湾曲させることによりヒール側端部に第１の当接部(A)が突出して形成されており、トウ側を凸湾曲させることによりその膨出部分に第２の当接部(B)が形成されており、後側ヘッド部(20)の底面には、第３の当接部(C)が突出して形成されている」ことを特徴とするパター(10)である。
【００１０】
これらの発明では、パターヘッド(14)の底面に第１の当接部(A)、第２の当接部(B)および第３の当接部(C)が突出して形成されており、パターヘッド(14)の底面と接地面（グリーンの芝面）との間に隙間が形成されるので、アンジュレーションが存在するグリーン上にパター(10)を自立させる場合であっても、パターヘッド(14)は、グリーンの芝面に対して第１の当接部(A)、第２の当接部(B)および第３の当接部(C)の３点にて常に当接することとなる。換言すれば、第１の当接部(A)、第２の当接部(B)および第３の当接部(C)を結んで形成される当接エリア(X)の面積が常に一定であるので、アンジュレーションの存在するグリーン上にパターを自立させる場合であってもパター(10)の重心位置が当接エリア(X)の外側に出難くなる。
【００１１】
請求項３に記載のパターは、「パターヘッド(14)には、パッティングの方向を定めるための照準手段(34)が設けられている」ことを特徴とするものである。
【００１２】
この発明では、パッティングの方向を定めるための照準手段(34)がパターヘッド(14)に設けられているので、パターヘッド(14)の位置調整をより正確に行うことができる。
【発明の効果】
【００１３】
本願発明によれば、パターヘッドにおけるグリーンとの当接エリアの面積が常に一定であるので、アンジュレーションの存在するグリーン上にパターを自立させる場合であってもパターの重心位置が当接エリアの外側に出難く、パターの転倒が生じ難い。
【発明を実施するための最良の形態】
【００１４】
以下、本願発明を図示実施例に従って詳述する。本願発明の適用されたパター(10)は、図１に示すように、シャフト(12)と、パターヘッド(14)とで大略構成されている。
【００１５】
シャフト(12)は、一端が大径で他端が小径の丸棒状部材であり、大径側端部には、滑り止め用のグリップ(16)が取着されている。
【００１６】
パターヘッド(14)は、図２〜図３に示すように、前側ヘッド部(18)と後側ヘッド部(20)とで大略構成されている。なお、パターヘッド(14)のうち、パターを構えたときに体と近くなる側が「ヒール側」であり、反対側が「トウ側」である。
【００１７】
前側ヘッド部(18)は、金属（例えば、ＳＵＳ，ステンレス，軟鉄など）等の剛性材料からなる横長のブロック状部材であり、その前面には打球面(22)が形成されており、本実施例では、前側ヘッド部(18)の背部が段状に切り欠かれている。
【００１８】
前側ヘッド部(18)のヒール側上端部には、上方へ向けて延びるホーゼル(24)が一体的に形成されており、ホーゼル(24)の上部に形成された円柱状部分(24a)には、シャフト(12)の小径側端部を挿入するためのボス孔(26)が穿設されている。なお、本実施例では、シャフト(12)とパターヘッド(14)とを接続するためのボス孔(26)をホーゼル(24)に形成するようにしているが、ホーゼル(24)を設けることなく、前側ヘッド部(18)のヒール側上端部に直接ボス孔(26)を穿設するようにしてもよい。
【００１９】
前側ヘッド部(18)の底面は、そのヒール側に凹湾曲面(28)が形成されており、そのトウ側に凸湾曲面(30)が形成されている。凹湾曲面(28)と凸湾曲面(30)とは、連続的に形成されており、これらが一体となって前側ヘッド部(18)の底面に緩やかな横向き略Ｓ字形状の湾曲面を構成している。なお、前側ヘッド部(18)の底面におけるヒール側端部（凹湾曲面(28)におけるヒール側端部の突出部分）がグリーンの芝面と当接する第１の当接部(A)であり、凸湾曲面(30)の突出部分（より正確には、膨出部分）がグリーンの芝面と当接する第２の当接部(B)である。
【００２０】
後側ヘッド部(20)は、前側ヘッド部(18)と同様、金属（ＳＵＳ、ステンレス、軟鉄など）等の剛性材料からなり、その外形が略三角形状に形成された板状部材であり、前側ヘッド部(18)の背面側にて前側ヘッド部(18)と一体的に形成されている（勿論、前側ヘッド部(18)と後側ヘッド部(20)をそれぞれ別体として形成した後、両部材(18)(20)を溶接などの手段により固着してもよい）。なお、後側ヘッド部(20)は、その底面が前側ヘッド部(18)の底面よりも上方に位置するよう配置されている。
【００２１】
後側ヘッド部(20)には、略三角形状の２個の切り欠き(32)が所定間隔を隔てて互いに向かい合うようにして形成されている。なお、切り欠き(32)によってあらわれた線状部分(33)はスイートスポットの背面に位置しており、パッティングの方向を定めるための照準手段(34)として機能する。
【００２２】
さらに、後側ヘッド部(20)の底面後端部には、突起(36)が突出して形成されており、この突起(36)がグリーンの芝面と当接する第３の当接部(C)である。
【００２３】
パター(10)を組み立てる際には、パターヘッド(14)のホーゼル(24)に形成されているボス孔(26)にシャフト(12)の小径側端部を挿入し、接着剤などの接着手段によりパターヘッド(14)とシャフト(12)とを接合する。
【００２４】
なお、パターヘッド(14)およびシャフト(12)の寸法ならびに重量は、シャフト(12)を起立させた状態においてパターヘッド(14)およびシャフト(12)からなるパター(10)全体の重心位置が第１の当接部(A)と第２の当接部(B)と第３の当接部(C)とをそれぞれ仮想直線で結んだ三角形（すなわち、当接エリア(X)）の内側に配置されるように設定されている。
【００２５】
パター(10)を使用する際には、図４に示すように、パター(10)をグリーンの芝面上であってゴルフボール(G)の近傍に自立させる。
【００２６】
ここで、パターヘッド(14)の底面には、第１の当接部(A)、第２の当接部(B)および第３の当接部(C)がそれぞれ突出して形成されているので、グリーンの芝面上にパター(10)を自立させたときには、パターヘッド(14)の底面とグリーンの芝面との間に隙間が形成されることになる。したがって、グリーンに多少のアンジュレーションが存在する場合であっても、グリーンの芝面に対して第１の当接部(A)、第２の当接部(B)および第３の当接部(C)が常に当接することとなり、上記３つの当接部(A)〜(C)を結んで形成される当接エリア(X)の面積が一定になるので、傾斜によるパター(10)の重心位置の変化があったとしても転倒が生じ難い。
【００２７】
パター(10)をボール(G)の近傍に自立させた後は、ターゲットとボール(G)と打点とが同一直線上となるように配置するとともに、前記３点を結んだ仮想直線とパターヘッド(14)の打球面(22)とが略直交するようにパター(10)の位置や角度を調整する。このとき、本実施例のように、パッティング方向を定めるための照準手段(34)がパターヘッド(14)に設けられている場合には、パター(10)の位置調整および角度調整をより効率的に行うことができる。
【００２８】
そして、パター(10)の位置調整および角度調整が終了したら、競技者はパター(10)に合わせて立ち位置を決め、パター(10)を構えてパッティングする。
【００２９】
本願発明によれば、パターヘッド(14)の底面に第１の当接部(A)、第２の当接部(B)および第３の当接部(C)が突出して形成されており、前記３つの当接部(A)〜(C)を結んだ仮想平面とパターヘッド(14)の底面との間には隙間が形成されるので、アンジュレーションが存在するグリーン上にパター(10)を自立させる場合であっても、パターヘッド(14)がグリーンの芝面に対して常に第１の当接部(A)、第２の当接部(B)および第３の当接部(C)の３点にて当接することとなる。
【００３０】
換言すれば、第１の当接部(A)、第２の当接部(B)および第３の当接部(C)を結んで形成される当接エリア(X)の面積は常に一定となるので、アンジュレーションの存在するグリーン上にパター(10)を自立させる場合であってもパター(10)の重心位置が当接エリア(X)の外側に出難く、パター(10)の転倒が生じ難い。
【００３１】
なお、照準手段(34)は、パッティングの方向を定めることができればどのような構成であってもよい。例えば、図５実施例では、照準手段(34)である線状部分(33)が厚肉に形成されており、その上端面が前方に向かうにつれて上方に傾斜して、その先端部分が前側ヘッド部(18)の打球面(22)の上端縁から上に突出するようになっている。この場合には、照準手段(34)とボール(G)との距離を近接させ、これを目印とすることができるので、ボール(G)に対するパター(10)の位置調整をより簡単に且つ正確に行うことが可能となる。
【００３２】
また、上述の実施例では、後側ヘッド部(20)の外形が略三角形状に形成されていたが、その形状は別段これに限定されるものではなく、例えば、図６に示すような半円形状であってもよいし、図７に示すような棒状であってもよい。なお、後側ヘッド部(20)の形状が棒状の場合には、後側ヘッド部(20)そのものを照準手段(34)として利用することが可能である。
【図面の簡単な説明】
【００３３】
【図１】本願発明にかかるパターを示す斜視図である。
【図２】パターヘッドを示す斜視図である。
【図３】パターヘッドの正面図、右側面図、平面図および底面図を示す図である。
【図４】使用状態を示す図である。
【図５】照準手段の変形例を示す図である。
【図６】後側ヘッド部の変形例を示す図である。
【図７】後側ヘッド部のさらに別の変形例を示す図である。
【符号の説明】
【００３４】
１０  パター
１２  シャフト
１４  パターヘッド
１８  前側ヘッド部
２０  後側ヘッド部
２８  凹湾曲面
３０  凸湾曲面
３４  照準手段
【図１】
2007029648.tif 000003
【図２】
2007029648.tif 000004
【図３】
2007029648.tif 000005
【図４】
2007029648.tif 000006
【図５】
2007029648.tif 000007
【図６】
2007029648.tif 000008
【図７】
2007029648.tif 000009